【事件の表示】
　特願２００６−５４３７９５「ネットワーク環境においてインストレーションコンポーネントをアップデートするためのシステムおよび方法」拒絶査定不服審判事件〔平成１７年　７月　７日国際公開、ＷＯ２００５／０６０３８９、平成１９年　５月３１日国内公表、特表２００７−５１４２３４〕について、次のとおり審決する。
【結　論】
　本件審判の請求は、成り立たない。
【理　由】
１．手続の経緯
　本願は、平成１６年７月２３日（パリ条約による優先権主張２００３年１２月１５日；米国）を国際出願日とする出願であって、出願後の手続きの経緯は次のとおりである。
　
拒絶理由の通知　　　　（起案日）平成２２年７月２７日
意見、手続補正　　　　（提出日）平成２２年１１月１日
拒絶査定　　　　　　　（起案日）平成２３年１月１１日
同　謄本送達　　　　　（送達日）平成２３年１月１４日
審判請求　　　　　　　（提出日）平成２３年５月１６日
手続補正　　　　　　　（提出日）平成２３年５月１６日
前置報告　　　　　　　（起案日）平成２３年７月２２日
審尋　　　　　　　　　（起案日）平成２３年１１月８日
回答　　　　　　　　　（提出日）平成２４年２月１３日
　
２．平成２３年５月１６日付の手続補正についての補正却下の決定
［補正却下の決定の結論］
　平成２３年５月１６日付の手続補正を却下する。
［理由］
（１）本件補正
　平成２３年５月１６日付の手続補正（以下、「本件補正」という。）により、特許請求の範囲の請求項１ないし１５は次のように補正された。
（本件補正後の特許請求の範囲）
「【請求項１】
　コンピュータおよび記憶デバイスを有するクライアントコンピューティングデバイス上における
１つまたは複数の更新すべき
　前記クライアントコンピューティングデバイス上の前記記憶デバイスに１つまたは複数のファイルをインストールするための必要なベースラインインストレーションコンポーネントを示すインストレーション情報を外部のサーバコンピュータから前記コンピュータにより取得する
ステップであって、前記更新すべきファイルは前記インストレーション情報およびインストレーションコンポーネントデルタパッチを含んでいる、インストレーション情報を取得するステップと、
　前記インストレーション情報からインストレーションコンポーネントデルタパッチを前記コンピュータにより取得するステップと、
　前記インストレーション情報からの前記インストレーションコンポーネントデルタパッチと前記選択されたベースラインインストレーションコンポーネントとを前記コンピュータによりマージするステップと、
　前記マージされたインストレーションコンポーネントを利用して前記クライアントコンピューティングデバイス上の前記記憶デバイスに１つまたは複数の
更新すべき
　を含み、前記クライアントコンピューティングデバイス上の前記記憶デバイスに１つまたは複数のファイルをインストールするための必要なベースラインインストレーションコンポーネントを示すインストレーション情報を取得するステップは、前記インストレーションコンポーネントデルタパッチと、前記必要なベースラインインストレーションコンポーネントを示す
インストレーション
１つまたは複数のファイルの
　　【請求項２】
　必要なベースラインインストレーションコンポーネントを識別する前記インストレーション情報は、前記クライアントコンピューティングデバイス上の前記記憶デバイスに記憶された特定のバージョンのベースラインインストレーションコンポーネントを示す情報を含むことを特徴とする請求項１に記載の方法。
　　【請求項３】
　前記クライアントコンピューティングデバイス上に前記１つまたは複数のファイルをインストールしたとき、前記マージされたインストレーションコンポーネントを前記コンピュータにより削除するステップをさらに含むことを特徴とする請求項１に記載の方法。
　　【請求項４】
　第２のベースラインコンポーネントを前記外部のサーバコンピュータから前記コンピュータにより取得するステップと、
　前記クライアントコンピューティングデバイス上の前記記憶デバイスに前記第２のベースラインコンポーネントを記憶するステップと、
　前記クライアントコンピューティングデバイス上の前記記憶デバイスに１つまたは複数のファイルをインストールするための前記第２のベースラインインストレーションコンポーネントを示す第２のインストレーション情報を前記コンピュータにより取得するステップと、
　前記クライアントコンピューティングデバイス上の前記記憶デバイスに記憶された前記第２のベースラインインストレーションコンポーネントを前記第２のインストレーション情報に基づき前記コンピュータにより選択するステップと、
　前記第２のインストレーション情報からインストレーションコンポーネントデルタパッチを前記コンピュータにより取得するステップと、
　前記第２のインストレーション情報からの前記インストレーションコンポーネントデルタパッチと前記第２のベースラインインストレーションコンポーネントとを前記コンピュータによりマージするステップと、
　前記マージされたインストレーションコンポーネントを利用して前記クライアントコンピューティングデバイス上の前記記憶デバイスに１つまたは複数のファイルをインストールするステップと
　をさらに含むことを特徴とする請求項１に記載の方法。
　　【請求項５】
　請求項１に記載の方法を前記コンピュータに実行させるためのコンピュータ実行可能命令を記録したことを特徴とするコンピュータ読取り可能記録媒体。
　　【請求項６】
　記憶デバイスと、
　クライアントコンピューティングデバイス上の前記記憶デバイスに１つまたは複数のファイルをインストールするための必要なベースラインインストレーションコンポーネントを示すインストレーション情報を外部のサーバコンピュータから取得するステップと、
　前記クライアントコンピューティングデバイス上の前記記憶デバイスに記憶されたベースラインインストレーションコンポーネントを選択するステップと、
　前記インストレーション情報からインストレーションコンポーネントデルタパッチを取得するステップと、
　前記インストレーション情報からの前記インストレーションコンポーネントデルタパッチと前記選択されたベースラインインストレーションコンポーネントとをマージするステップと、
　前記マージされたインストレーションコンポーネントを利用して前記クライアントコンピューティングデバイス上の前記記憶デバイスに１つまたは複数のファイルをインストールするステップと
　実行するコンピュータ
と
　を含み、前記クライアントコンピューティングデバイス上の前記記憶デバイスに１つまたは複数のファイルをインストールするための必要なベースラインインストレーションコンポーネントを示すインストレーション情報を取得するステップは、前記インストレーションコンポーネントデルタパッチと、前記必要なベースラインインストレーションコンポーネントを示す情報とを含むパッケージを取得するステップを含むことを特徴とするクライアントコンピューティングデバイス。
　　【請求項７】
　コンピュータおよび記憶デバイスを有するクライアントコンピューティングデバイス上におけるファイルのインストレーションを管理するための方法であって、
　前記クライアントコンピューティングデバイス上の前記記憶デバイスに１つまたは複数のファイルを前記コンピュータによりインストールするための必要なベースラインインストレーションコンポーネントを示す情報を含むパッケージを外部のサーバコンピュータから前記コンピュータにより取得するステップと、
　前記クライアントコンピューティングデバイス上の前記記憶デバイスに記憶されるベースラインインストレーションコンポーネントを前記コンピュータにより識別するステップと、
　前記パッケージからインストレーションコンポーネントデルタパッチを前記コンピュータにより取得するステップと、
　前記パッケージからの前記インストレーションコンポーネントデルタパッチと前記識別されたベースラインインストレーションコンポーネントとを前記コンピュータによりマージするステップと、
　前記マージされたインストレーションコンポーネントを利用して前記クライアントコンピューティングデバイス上の前記記憶デバイスに１つまたは複数のファイルを前記コンピュータによりインストールするステップと、
　前記クライアントコンピューティングデバイス上の前記記憶デバイスに前記１つまたは複数のファイルを前記コンピュータによりインストールしたとき、前記マージされたインストレーションコンポーネントを前記コンピュータにより削除するステップと
　を含み、前記パッケージは、前記クライアントコンピューティングデバイス上にインストールすべき前記１つまたは複数のファイルを含み、さらに前記パッケージは前記クライアントコンピューティングデバイス上の前記記憶デバイスに前記１つまたは複数のファイルをアップデートしインストールする１つまたは複数のソフトウェアアップデートデルタパッチを含むことを特徴とする方法。
　　【請求項８】
　前記必要なベースラインインストレーションコンポーネントを示すインストレーション情報は、前記クライアントコンピューティングデバイス上の前記記憶デバイスに記憶される特定のバージョンのベースラインインストレーションコンポーネントを示す情報を含むことを特徴とする請求項７に記載の方法。
　　【請求項９】
　第２のベースラインコンポーネントを前記外部のサーバコンピュータから前記コンピュータにより取得するステップと、
　前記クライアントコンピューティングデバイス上の前記記憶デバイスに前記第２のベースラインコンポーネントを前記コンピュータにより記憶するステップと、
　前記クライアントコンピューティングデバイス上の前記記憶デバイスに１つまたは複数のファイルを前記コンピュータによりインストールするための前記第２のベースラインインストレーションコンポーネントを示す第２のインストレーション情報を前記外部のサーバコンピュータから取得するステップと、
　前記クライアントコンピューティングデバイス上の前記記憶デバイスに記憶された前記第２のベースラインインストレーションコンポーネントを前記第２のインストレーション情報に基づき前記コンピュータにより選択するステップと、
　前記第２のインストレーション情報からインストレーションコンポーネントデルタパッチを前記コンピュータにより取得するステップと、
　前記第２のインストレーション情報からの前記インストレーションコンポーネントデルタパッチと前記第２のベースラインインストレーションコンポーネントとを前記コンピュータによりマージするステップと、
　前記マージされたインストレーションコンポーネントを利用して前記クライアントコンピューティングデバイス上の前記記憶デバイスに１つまたは複数のファイルをインストールするステップと、
　前記クライアントコンピューティングデバイス上に前記１つまたは複数のファイルをインストールしたとき、前記マージされた第２のインストレーションコンポーネントを前記コンピュータにより削除するステップと
　をさらに含むことを特徴とする請求項７に記載の方法。
　　【請求項１０】
　請求項７に記載の方法を前記コンピュータに実行させるコンピュータ実行可能命令を記録したことを特徴とするコンピュータ読取り可能記録媒体。
　　【請求項１１】
　記憶デバイスと、
　クライアントコンピューティングデバイス上の前記記憶デバイスに１つまたは複数のファイルを前記コンピュータによりインストールするための必要なベースラインインストレーションコンポーネントを示す情報を含むパッケージを外部のサーバコンピュータから前記コンピュータにより取得するステップと、
　前記クライアントコンピューティングデバイス上の前記記憶デバイスに記憶されるベースラインインストレーションコンポーネントを識別するステップと、
　前記パッケージからインストレーションコンポーネントデルタパッチを取得するステップと、
　前記パッケージからの前記インストレーションコンポーネントデルタパッチと前記識別されたベースラインインストレーションコンポーネントとをマージするステップと、
　前記マージされたインストレーションコンポーネントを利用して前記クライアントコンピューティングデバイス上の前記記憶デバイスに１つまたは複数のファイルをインストールするステップと、
　前記クライアントコンピューティングデバイス上の前記記憶デバイスに前記１つまたは複数のファイルをインストールしたとき、前記マージされたインストレーションコンポーネントを削除するステップと
　を実行するコンピュータと
　を含むことを特徴とするクライアントコンピューティングデバイス。
　　【請求項１２】
　コンピュータおよび記憶デバイスを有するクライアントコンピューティングデバイス上におけるファイルのインストレーションを管理するための方法であって、
　前記クライアントコンピューティングデバイス上の前記記憶デバイスに記憶される１組のベースラインインストレーションコンポーネントから選択する情報を含むパッケージを前記コンピュータにより取得するステップと、
　前記クライアントコンピューティングデバイス上の前記記憶デバイスに記憶される前記１組のベースラインインストレーションコンポーネントからベースラインインストレーションコンポーネントを前記コンピュータにより選択するステップと、
　前記パッケージからインストレーションコンポーネントアップデートを
前記コンピュータにより
るス
　前記インストレーションコンポーネントアップデートを用いて前記選択されたインストレーションコンポーネントを前記コンピュータによりアップデートするステップと、
　前記インストレーションコンポーネントを利用して前記クライアントコンピューティングデバイス上の前記記憶デバイスに１つまたは複数のファイルを前記コンピュータによりインストールするステップと
　を含み、前記パッケージは、前記クライアントコンピューティングデバイス上にインストールすべき前記１つまたは複数のファイルを含み、さらに前記パッケージは前記クライアントコンピューティングデバイス上の前記記憶デバイスに前記１つまたは複数のファイルをアップデートしインストールする１つまたは複数のソフトウェアアップデートデルタパッチを含むことを特徴とする方法。
　　【請求項１３】
　前記１組のベースラインインストレーションコンポーネントが、１つのバージョンの前記ベースラインインストレーションコンポーネントに従って構成され、前記ベースラインインストレーションコンポーネントを選択するステップは、前記１組のベースラインインストレーションコンポーネントから特定のバージョンのベースラインインストレーションコンポーネントを前記コンピュータにより情報選択するステップを含むことを特徴とする請求項１２に記載の方法。
　　【請求項１４】
　請求項１２に記載の方法を前記コンピュータに実行させるコンピュータ実行可能命令を記録したことを特徴とするコンピュータ読取り可能記録媒体。
　　【請求項１５】
　記憶デバイスと、
　前記クライアントコンピューティングデバイス上の前記記憶デバイスに記憶される１組のベースラインインストレーションコンポーネントから選択する情報を含むパッケージを取得するステップと、
　前記クライアントコンピューティングデバイス上の前記記憶デバイスに記憶される前記１組のベースラインインストレーションコンポーネントからベースラインインストレーションコンポーネントを選択するステップと、
　前記パッケージからインストレーションコンポーネントアップデートを取得するステップと、
　前記インストレーションコンポーネントアップデートを用いて前記選択されたインストレーションコンポーネントをアップデートするステップと、
　前記インストレーションコンポーネントを利用して前記クライアントコンピューティングデバイス上の記憶デバイスに１つまたは複数のファイルを前記コンピュータによりインストールするステップと
　を実行するコンピュータと
　を含み、前記パッケージは、前記クライアントコンピューティングデバイス上にインストールすべき前記１つまたは複数のファイルを含み、さらに前記パッケージは前記クライアントコンピューティングデバイス上の前記記憶デバイスに前記１つまたは複数のファイルをアップデートしインストールする１つまたは複数のソフトウェアアップデートデルタパッチを含むことを特徴とするクライアントコンピューティングデバイス。」
　
（本件補正前の特許請求の範囲）
「【請求項１】
　コンピュータおよび記憶デバイスを有するクライアントコンピューティングデバイス上におけるファイルのインストレーションを管理するための方法であって、
　前記クライアントコンピューティングデバイス上の前記記憶デバイスに１つまたは複数のファイルをインストールするための必要なベースラインインストレーションコンポーネントを示すインストレーション情報を外部のサーバコンピュータから前記コンピュータにより取得するステップと、
　前記クライアントコンピューティングデバイス上の前記記憶デバイスに記憶されたベースラインインストレーションコンポーネントを前記インストレーション情報に基づき前記コンピュータにより選択するステップと、
　前記インストレーション情報からインストレーションコンポーネントデルタパッチを前記コンピュータにより取得するステップと、
　前記インストレーション情報からの前記インストレーションコンポーネントデルタパッチと前記選択されたベースラインインストレーションコンポーネントとを前記コンピュータによりマージするステップと、
　前記マージされたインストレーションコンポーネントを利用して前記クライアントコンピューティングデバイス上の前記記憶デバイスに１つまたは複数のファイルを前記コンピュータによりインストールするステップと
　を含み、前記クライアントコンピューティングデバイス上の前記記憶デバイスに１つまたは複数のファイルをインストールするための必要なベースラインインストレーションコンポーネントを示すインストレーション情報を取得するステップは、前記インストレーションコンポーネントデルタパッチと、前記必要なベースラインインストレーションコンポーネントを示す情報とを含むパッケージを取得するステップを含むことを特徴とする方法。
　…（中略）…（補正のない請求項は…（中略）…とする。）
　　【請求項６】
　記憶デバイスと、
　クライアントコンピューティングデバイス上の前記記憶デバイスに１つまたは複数のファイルをインストールするための必要なベースラインインストレーションコンポーネントを示すインストレーション情報を外部のサーバコンピュータから取得するステップと、
　前記クライアントコンピューティングデバイス上の前記記憶デバイスに記憶されたベースラインインストレーションコンポーネントを選択するステップと、
　前記インストレーション情報からインストレーションコンポーネントデルタパッチを取得するステップと、
　前記インストレーション情報からの前記インストレーションコンポーネントデルタパッチと前記選択されたベースラインインストレーションコンポーネントとをマージするステップと、
　前記マージされたインストレーションコンポーネントを利用して前記クライアントコンピューティングデバイス上の前記記憶デバイスに１つまたは複数のファイルをインストールするステップと
　実行するコンピュータとを有し、
　を含み、前記クライアントコンピューティングデバイス上の前記記憶デバイスに１つまたは複数のファイルをインストールするための必要なベースラインインストレーションコンポーネントを示すインストレーション情報を取得するステップは、前記インストレーションコンポーネントデルタパッチと、前記必要なベースラインインストレーションコンポーネントを示す情報とを含むパッケージを取得するステップを含むことを特徴とするクライアントコンピューティングデバイス。
　…（中略）…
　　【請求項１２】
　コンピュータおよび記憶デバイスを有するクライアントコンピューティングデバイス上におけるファイルのインストレーションを管理するための方法であって、
　前記クライアントコンピューティングデバイス上の前記記憶デバイスに記憶される１組のベースラインインストレーションコンポーネントから選択する情報を含むパッケージを前記コンピュータにより取得するステップと、
　前記クライアントコンピューティングデバイス上の前記記憶デバイスに記憶される前記１組のベースラインインストレーションコンポーネントからベースラインインストレーションコンポーネントを前記コンピュータにより選択するステップと、
　前記パッケージからインストレーションコンポーネントアップデートを取得する前記コンピュータによりステップと、
　前記インストレーションコンポーネントアップデートを用いて前記選択されたインストレーションコンポーネントを前記コンピュータによりアップデートするステップと、
　前記インストレーションコンポーネントを利用して前記クライアントコンピューティングデバイス上の前記記憶デバイスに１つまたは複数のファイルを前記コンピュータによりインストールするステップと
　を含み、前記パッケージは、前記クライアントコンピューティングデバイス上にインストールすべき前記１つまたは複数のファイルを含み、さらに前記パッケージは前記クライアントコンピューティングデバイス上の前記記憶デバイスに前記１つまたは複数のファイルをアップデートしインストールする１つまたは複数のソフトウェアアップデートデルタパッチを含むことを特徴とする方法。
　…（中略）…」
 
（２）本件補正における新規事項追加についての判断
　補正後の請求項１の記載は、
「【請求項１】
　（イ）コンピュータおよび記憶デバイスを有するクライアントコンピューティングデバイス上における
１つまたは複数の更新すべきファイル
　（ロ）前記クライアントコンピューティングデバイス上の前記記憶デバイスに１つまたは複数のファイルをインストールするための必要なベースラインインストレーションコンポーネントを示すインストレーション情報を外部のサーバコンピュータから前記コンピュータにより取得するステップであって、
前記更新すべきファイルは
インストレーションコンポーネントデルタパッチを含んでいる
　（ハ）前記クライアントコンピューティングデバイス上の前記記憶デバイスに記憶されたベースラインインストレーションコンポーネントを前記インストレーション情報に基づき前記コンピュータにより選択するステップと、
　（ニ）前記インストレーション情報
から
を
取得する
　（ホ）前記インストレーション情報
からの
　（ヘ）前記マージされたインストレーションコンポーネントを利用して前記クライアントコンピューティングデバイス上の前記記憶デバイスに１つまたは複数の更新すべきファイルを前記コンピュータによりインストールするステップとを含み、
　（ト）前記クライアントコンピューティングデバイス上の前記記憶デバイスに１つまたは複数のファイルをインストールするための必要なベースラインインストレーションコンポーネントを
示す
前記インストレーションコンポーネントデルタパッチと
示すインストレーション情報とを含む
ファイルのパッケージ
取得
というものである（なお、（イ）〜（ト）は、説明のために、便宜的に当審で挿入した記号である。また、下線部も、説明のために、便宜的に当審で付加したものである）。
　
　上記（ロ）においては、「更新すべきファイル」が、「インストレーションコンポーネントデルタパッチ」を含んでいるという趣旨の記載（以下、便宜的に「記載Ａ」という。）が存在する。
　上記（ニ）及び（ホ）においては、「インストレーションコンポーネントデルタパッチ」は、「インストレーション情報」「から」取得されるものであるという趣旨の記載（以下、便宜的に「記載Ｂ」という。）が存在する。
　上記（ト）には、「取得」された「ファイルのパッケージ」が「インストレーションコンポーネントデルタパッチ」と「インストレーション情報」とを「含む」ものであり、かつ、該「インストレーション情報」は、「必要なベースラインインストレーションコンポーネント」を「示す」ものであるという趣旨の記載（以下、便宜的に「記載Ｃ」という。）が存在する。
　しかしながら、願書に最初に添付した明細書または図面（「当初明細書等」と呼ぶ。）には、上記「記載Ａ」かつ「記載Ｂ」かつ「記載Ｃ」であることは記載も示唆もされていない。つまり、「更新すべきファイル」すなわち更新される側のファイルが、「インストレーションコンポーネントデルタパッチ」を含んでいるという趣旨であり（「記載Ａ」）、かつ、「インストレーションコンポーネントデルタパッチ」は、「インストレーション情報」「から」取得されるものであるという趣旨であり（「記載Ｂ」）、かつ、「取得」された「ファイルのパッケージ」が「インストレーションコンポーネントデルタパッチ」を含んでいるという趣旨である（「記載Ｃ」）ことを同時に満たすことは、当初明細書等には記載も示唆もない。
　補正後の請求項１を引用する補正後の請求項２〜５についても同様のことが言える。
　このように、補正後の請求項１ないし５には、上記「記載Ａ」かつ「記載Ｂ」かつ「記載Ｃ」である事項が記載されており、そのような事項は、当初明細書等に記載した事項の範囲内のものではない。
　したがって、請求項１についてした補正は、特許法第１７条の２第３項の規定に違反する。
　
（３）本件補正における補正の目的についての判断
　補正後の請求項１の補正に係る、補正前の請求項１の第１段落、第６段落の「ファイル」、第２段落の「コンピュータにより取得するステップ」、第７段落の「情報とを含むパッケージを取得するステップ」に限定を加えて、それぞれ「１つまたは複数の更新すべきファイル」「コンピュータにより取得するステップであって、前記更新すべきファイルは前記インストレーション情報およびインストレーションコンポーネントデルタパッチを含んでいる、インストレーション情報を取得するステップ」「インストレーション情報とを含む１つまたは複数のファイルのパッケージを取得するステップ」とする補正は、特許請求の範囲の減縮（第３６条第５項の規定により請求項に記載した発明を特定するために必要な事項を限定するものであって、その補正前の当該請求項に記載される発明の産業上の利用分野及び解決しようとする課題が同一であるものに限る。）（以下「限定的減縮」と記す。）を目的としたものと認められる。
　また、補正後の請求項６の補正は、補正前のコンピュータ「とを有し、」をコンピュータ「と」とするものであり、誤記の訂正を目的としたものと認められる。
　また、請求項１２の補正に係る、補正前の「取得する前記コンピュータによりステップ」を「前記コンピュータにより取得するステップ」とする補正は、誤記の訂正を目的としたものと認められる。
 
　よって、本件補正は、平成１８年法律第５５号改正附則第３条第１項の規定によりなお従前の例によるとされる同法による改正前の特許法第１７条の２第４項の規定に適合する。
　
（４）独立特許要件についての判断
　本件補正の目的は限定的減縮を含むので、本件補正後の前記請求項１ないし請求項１５に記載された発明が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
  
（４．１）特許法第３６条第６項第２号
　前記２．（２）で言及したように、補正後の請求項１には、「更新すべきファイル」が、「インストレーションコンポーネントデルタパッチ」を含んでいるという趣旨の記載（「記載Ａ」）かつ「インストレーションコンポーネントデルタパッチ」は、「インストレーション情報」「から」取得されるものであるという趣旨の記載（「記載Ｂ」）かつ「インストレーション情報」は、「必要なベースラインインストレーションコンポーネント」を「示す」ものであるという趣旨の記載（「記載Ｃ」）がされている。
　これらの記載内容の相互の関係についてみると、上記「記載Ａ」では、「更新すべきファイル」すなわち更新される側のファイルが、「インストレーションコンポーネントデルタパッチ」を含んでいるという趣旨の記載になっているのに対し、上記「記載Ｃ」では、「取得」された「ファイルのパッケージ」が「インストレーションコンポーネントデルタパッチ」を含んでいるという趣旨の記載になっており、上記「記載Ａ」と上記「記載Ｃ」とは矛盾する。
　また、上記「記載Ｂ」では、「インストレーションコンポーネントデルタパッチ」は、「インストレーション情報」「から」取得されるものであるという趣旨の記載になっているのに対し、上記「記載Ｃ」では、「インストレーション情報」というものは「必要なベースラインインストレーションコンポーネント」を「示す」ものであり、該「インストレーション情報」とは別に「インストレーションコンポーネントデルタパッチ」は「取得」された「ファイルのパッケージ」の中に「含まれ」ているという趣旨の記載になっているので、上記「記載Ｂ」と上記「記載Ｃ」とは矛盾する。
　よって、２つの点において矛盾する記載が存在しており、意味不明である。したがって、補正後の請求項１の記載は、特許を受けようとする発明が明確ではない。
　補正後の請求項１を引用する補正後の請求項２ないし請求項５についても同様である。
　よって、本件補正後の請求項１ないし請求項５の発明は、特許出願の際独立して特許を受けることができないものである。
　
（４．２）特許法第２９条第２項
　特許請求の範囲の請求項６に記載されている事項により特定される発明が、特許法第２９条第２項の規定に違反せず、特許出願の際独立して特許を受けることができるものであるかについて、以下検討する。
　
補正後の請求項６に記載されている事項により特定される発明（以下「本件補正発明」という。）は、次に記載のとおりの事項により特定されるものである。（再掲する。）
　【請求項６】
　記憶デバイスと、
　クライアントコンピューティングデバイス上の前記記憶デバイスに１つまたは複数のファイルをインストールするための必要なベースラインインストレーションコンポーネントを示すインストレーション情報を外部のサーバコンピュータから取得するステップと、
　前記クライアントコンピューティングデバイス上の前記記憶デバイスに記憶されたベースラインインストレーションコンポーネントを選択するステップと、
　前記インストレーション情報からインストレーションコンポーネントデルタパッチを取得するステップと、
　前記インストレーション情報からの前記インストレーションコンポーネントデルタパッチと前記選択されたベースラインインストレーションコンポーネントとをマージするステップと、
　前記マージされたインストレーションコンポーネントを利用して前記クライアントコンピューティングデバイス上の前記記憶デバイスに１つまたは複数のファイルをインストールするステップと
　実行するコンピュータ
と
　
（４．２．１）引用文献１
　原審の拒絶の理由に引用された、本願優先権主張日前に頒布された刊行物である特開２００１−７５８９６号公報（以下、「引用文献１」という。）には、次の事項が記載されている。
Ａ．「【０００２】
【従来の技術】…（中略）…オープンソフトウェアの配布等をＷＥＢサイトを利用してを行うようになってきている。この場合のオープンソフトウェア（以下、単にソフトウェアという）は、いくつかのファイルの集合体であるソフトをまとめ配布形態にしたものを真正性確認及び認証手続きプログラムに対応したソフトアーカイブ（以下、アーカイブファイルという）として配布される。」
Ｂ．「【０００９】また、プログラムを内蔵しているアーカイブファイルの形式（インストーラーや自己解凍形式のアーカイブと呼ばれる）の場合、機種や環境依存のプログラムを含んでいるためアーカイブを解凍する環境が違うと、解凍することができなくなるという問題点を生じる。
【００１０】…（中略）…アーカイブ作成時のオリジナルファイルの改良版等の変更を加えたものは、改めて配布し直さなくてはならないという問題点を有している。
【００１１】…（中略）…常に完全な形でアーカイブファイル入手しなければならず、転送容量が増加してしまうという問題点を有している。
【００１２】また、従来技術によるアーカイブファイルは、１つのアーカイブファイルからその伸張展開を行う利用者にあわせたアーカイブファイルの伸張展開の方法の変更を行うことができないという問題点を有し、…（中略）…
【００１３】本発明の目的は、前述した従来技術の問題点を解決し、アーカイブファイルとして作成されたソフトウェアを安全確実に配布することを可能にし、かつ、バージョンアップが行われていること容易に知らせることのできるソフトウェアの配布方法を提供することにある。」
Ｃ．「【００２３】・・・利用者端末１５は、表示画面・・・内部装置として、ＣＰＵ、メモリ、ハードディスク等の補助記憶装置等を備えており、…（中略）…
【００２５】・・・開発集団１１からマスターサイト１３、ミラーサイト１４を介して利用者端末１５にアーカイブファイル１２が配布されて利用される・・・更新前のアーカイブファイルを受け取っている可能性もある、利用者端末１５は、受け取ったアーカイブファイル１２の認証を受けるとき等に、アーカイブファイルの更新が行われているか否かの情報を得て、新しいバージョンのアーカイブファイルを受け取ることができる。」
Ｄ．「【００２６】・・・図４は更新情報を受け取って更新された利用者端末でのアーカイブファイルの構成を説明する図であり、・・・
【００２７】アーカイブファイルは、図示していないインタフェース部分及び説明部分と、図３（ａ）に示すように管理情報と画像とからなるページ表示時における公開される部分と、それから呼び出されるアーカイブファイル本体とにより構成される。そして、前述の画像としては、アーカイブファイルの簡単な説明やその内容を示すシンボルの画像があり、利用者は、利用に先立ってアーカイブファイルの内容を判断することができる。」
Ｅ．「【００２９】また、管理情報として書き込まれている情報に基づいて、公衆回線上のサーバと通信を行うことにより、アーカイブの展開方法の変更や改変の調査などを行うことができる。・・・
【００３０】・・・サーバへの登録時におけるアーカイブファイルの内容と利用時のファイルの内容と間での改変の確認、アーカイブファイルの展開伸張の許可、利用者登録情報の確認、更新、変更部分の差分情報の有無と変更内容、実行環境情報とその環境に対する伸張、展開方法の指示、利用者へのアーカイブファイル利用に関しての最新のお知らせ、その他必要な情報等のやり取りを行うことができ、利用者側で、それにあわせた動作の変更を行うことが可能となる。
…（中略）…
【００３２】また、アーカイブファイルの内容形式は、複数用意されて、それを利用に合わせて組み合わすことが可能とされている。例えば、説明の画像と管理情報とのみでアーカイブさているアーカイブ本体の内容を別に用意し、後から読み込む形式、あるいは、これらの全てが揃えられている形式、・・・
【００３３】さらに、アーカイブファイルを展開するプログラムは、アーカイブファイルの種類に合わせ、また、サーバからのプログラム自体の更新情報に合わせて必要であれば、アーカイブファイル展開時にサーバより変更部分を受け取り、その部分を加えて動作するようにし、これにより、環境の変化やアーカイブファイルの形式変更への自由度を高くすることができる。」
Ｆ．「【００３４】図３（ａ）に示す例は、前述したような構成を持つアーカイブファイル１２を、ミラーサイト１４から利用者端末１５に配送する場合の例であり、利用者端末１５の表示画面１５１に、ページ表示時の公開部分として管理情報と画像とからなるページが表示される。利用者端末１５側の利用者は、表示画面１５１に表示されている画像と管理情報とにより、アーカイブ本体の中の、自分が必要とするファイルを指定することにより、そのファイルをダウンロードする。
…（中略）…
【００３５】この結果、利用者端末１５には、図３（ｂ）に示すように、画像及び管理情報とダウンロードしたアーカイブ本体のファイルが保存されることになる。利用者は、これにより、このアーカイブ本体のファイルを展開して得られるソフトウェアを利用することが可能となる。・・・前述と同様に、管理情報に含まれる開発集団が管理するマスターサイト１３のアドレス等を使用して、マスターサイト１３にアクセスし、・・・
【００３６】さらに、利用者端末１５側の利用者は、受領したアーカイブファイルが受領後時間が経ち更新されている可能性があると思われるとき、前述と同様に、・・・管理情報に含まれる・・・アドレス等を使用して、マスターサイト１３にアクセスし、受け取っているアーカイブファイルが更新されているか否かを知り、更新されている場合、更新部分のをファイルをマスターサイト１３からダウンロードして、更新されたアーカイブファイルを生成して保存する。
【００３７】図４にこの場合のアーカイブファイルの構成例を示している。図４（ａ）は、受領後時間が経ち更新されている可能性があると思われる利用者端末１５に保存されているアーカイブファイルを示し、また、図４（ｃ）は、マスターサイト１３に保持されている更新されたアーカイブファイルを示す。更新されたアーカイブファイルを取り込もうとする利用者は、利用者端末１５に保存されている図４（ａ）に示すアーカイブファイルと、マスターサイト１３より受領した更新されている図４（ｃ）に示すアーカイブファイルとを合成することにより、図４（ｂ）に示すように、更新されたアーカイブファイルを得ることができる。更新されたアーカイブファイルは、その管理情報と画像とが更新されたものとなり、アーカイブ本体は、更新された部分のみが書き替えられ、また、追加部分があれば、これが追加されたものとなる。
【００３８】図５はアーカイブファイルの配布処理の概要を説明するフローチャート・・・」
Ｇ．図１ないし図４には、マスターサイトとミラーサイトを構成するサーバー（マスタサーバ及びミラーサーバ）と、クライアントとみることができる利用者端末が公衆回線で接続されている。
　
（Ａ）図１〜図２の利用者端末１５、「サーバ」、図３の「クライアント」及びＣ．の「利用者端末」は「ＣＰＵ」「メモリ」を備えているとの記載から、「メモリとクライアント利用者端末上の前記メモリ」をよみとることができる。
　Ａ．の「いくつかのファイルの集合体」である「アーカイブファイル」、利用者端末への「配布」（図１に関連し、【図面の簡単な説明】の段落に記載された、「【図１】本発明の実施形態によるソフトウェアの配布方法の概念を説明する図である。」における「配布方法」参照。）、Ｂ．の「プログラムを内蔵しているアーカイブファイルの形式（インストーラや自己解凍形式アーカイブ）」（以下、「プログラムを内蔵しているアーカイブファイルの形式（インストーラや自己解凍形式アーカイブ）」を単に「アーカイブファイル」と略記することがある。）との記載から、アーカイブファイルは「インストーラ」でもあるから、インストーラの動作を行うプログラムコンポーネントである「インストレーションコンポーネント」を含むとみることができる。前記「インストーラ（インストレーションコンポーネント）」は、Ｅ．の「アーカイブの展開方法の変更や改変」「更新、変更部分の差分情報の有無と変更内容」、「サーバからのプログラム自体の更新情報に合わせて」「アーカイブファイル展開時にサーバより変更部分を受け取り、その部分を加えて動作する」、Ｆ．の、更新されている場合、「更新部分のをファイル（「のを」は「の」誤記と認められる。）をマスターサイト１３からダウンロード」「利用者端末１５に保存されている図４（ａ）に示すアーカイブファイルと、マスターサイト１３より受領した更新されている図４（ｃ）に示すアーカイブファイルとを合成することにより、図４（ｂ）に示すように、更新されたアーカイブファイルを得る」「アーカイブ本体は、更新された部分のみが書き替えられ」との記載から、プログラムを内蔵しているアーカイブファイルはそれ自身インストーラの動作をして前記更新部分のファイル（差分）を用いてアーカイブファイルを書き替えており、当該書き替え前のアーカイブファイル（図４（ａ））は前記「インストレーションコンポーネント」の「ベースラインインストレーションコンポーネント」に相当する。
　Ｅ．の「管理情報として書き込まれている情報に基づいて、公衆回線上のサーバと通信を行うことにより、アーカイブの展開方法の変更や改変の調査などを行う」「サーバへの登録時におけるアーカイブファイルの内容と利用時のファイルの内容と間での改変の確認、アーカイブファイルの展開伸張の許可、利用者登録情報の確認、更新、変更部分の差分情報の有無と変更内容、実行環境情報とその環境に対する伸張、展開方法の指示、利用者へのアーカイブファイル利用に関しての最新のお知らせ、その他必要な情報等のやり取りを行う」との記載、「サーバからのプログラム自体の更新情報」（これらの情報を、以下「更新、変更関連情報」と呼ぶ。）、Ｆ．の、利用者端末側の利用者は、「受領したアーカイブファイル」が受領後時間が経ち「更新」されている可能性があると思われるとき、前述と同様に、「管理情報」に含まれる開発集団が管理するマスターサイトのアドレス等を使用して、マスターサイトにアクセスし、「受け取っているアーカイブファイルが更新」されているか否かを知り、との記載、および、図４（ａ）〜（ｃ）から、「管理情報」に基づいて、「書き替え前のアーカイブファイル（受領したアーカイブファイル）（図４（ａ））」の「更新、変更関連情報」を外部のマスタサイト（サーバ）から取得するステップをよみとることができる。
　よって、「メモリと、
　クライアント利用者端末上の前記メモリに１つまたは複数のファイルをインストールするための必要な書き替え前のアーカイブファイル（図４（ａ））の更新、変更関連情報を外部のサーバコンピュータから取得するステップ」をよみとることができる。
（Ｂ）Ｆ．の「表示されている画像と管理情報とにより、アーカイブ本体の中の、自分が必要とするファイルを指定することにより、そのファイルをダウンロードする」「前述と同様に、管理情報に含まれる開発集団が管理するマスターサイト１３のアドレス等を使用して、マスターサイト１３にアクセスし、受け取っているアーカイブファイルが更新されているか否かを知り」、「更新部分のファイル」を「マスターサイト１３からダウンロード」し、「図４（ａ）は、受領後時間が経ち更新されている可能性があると思われる利用者端末１５に保存されているアーカイブファイル」を示し、また、「図４（ｃ）は、マスターサイト１３に保持されている更新されたアーカイブファイル」を示す。「更新されたアーカイブファイル」を取り込もうとする利用者は、「利用者端末１５に保存されている図４（ａ）に示すアーカイブファイル」と、マスターサイト１３より受領した「更新されている図４（ｃ）に示すアーカイブファイル」とを「合成」することにより、「図４（ｂ）に示すように、更新されたアーカイブファイル」を得ることができるとの記載、特に「自分が必要とするファイルを指定」との記載、利用者端末１５に保存されている図４（ａ）に示すアーカイブファイル（書き替え前のアーカイブファイル）と、図４（ｃ）に示すアーカイブファイル（Ｆ．の更新部分のファイル）とは合成できる関係にあり、前記図４（ａ）に示すアーカイブファイルは図４（ｃ）に示すアーカイブファイルと対応関係があり対応関係に「選択」されているとみることができる。
　よって「前記クライアント利用者端末上の前記メモリに記憶された書き替え前のアーカイブファイルを選択するステップ」をよみとることができる。
（Ｃ）前記（Ａ）で言及した「更新、変更関連情報」、Ｅ．の「更新、変更部分の差分」情報、「アーカイブファイルを展開するプログラムは、アーカイブファイルの種類に合わせ、また、サーバからのプログラム自体の更新情報に合わせて」「アーカイブファイル展開時にサーバより変更部分を受け取り、その部分を加えて動作する」、Ｆ．の「受け取っているアーカイブファイルが更新されているか否かを知り、更新されている場合、更新部分」の「ファイルをマスターサイト１３からダウンロード」との記載から、「更新、変更関連情報を用いて」「アーカイブファイルの更新、変更部分の差分を（ダウンロード）により取得するステップ」をよみとることができる。
（Ｄ）Ｅ．の「アーカイブファイルを展開するプログラム」は、「サーバからのプログラム自体の更新情報に合わせて」「アーカイブファイル展開時にサーバより変更部分を受け取り、その部分を加えて動作する」、Ｆ．の「更新部分」の「ファイル」を「マスターサイトからダウンロード」「更新されたアーカイブファイルを取り込もうとする利用者は、利用者端末１５に保存されている図４（ａ）に示すアーカイブファイルと、マスターサイト１３より受領した更新されている図４（ｃ）に示すアーカイブファイルとを合成することにより、図４（ｂ）に示すように、更新されたアーカイブファイルを得る」「更新された部分のみが書き替えられ」との記載から、「前記更新、変更関連情報」を用いて「前記アーカイブファイルの更新、変更部分の差分」（インストレーションコンポーネントデルタパッチ）と「前記選択された書き替え前のアーカイブファイル」（ベースラインインストレーションコンポーネント）とを「合成するステップ」をよみとることができる。
（Ｅ）Ｅ．の「利用者側で、それにあわせた動作の変更を行う」「アーカイブファイルの種類に合わせ、また、サーバからのプログラム自体の更新情報に合わせて必要であれば、アーカイブファイル展開時にサーバより変更部分を受け取り、その部分を加えて動作する」との記載、及び、前記（Ｄ）で言及した「合成」され「更新されたアーカイブファイル」（プログラムを内蔵しているアーカイブファイル（インストーラや自己解凍形式アーカイブ））は、自身（Ａ．に記載の、いくつかのファイルの集合体であるアーカイブファイル）のいくつかのファイルを前記「合成」され更新されたインストーラや自己解凍形式アーカイブを利用して当該インストーラや自己解凍形式アーカイブとしての自明の動作であるインストールや自己解凍の動作を前記集合体のいくつかのファイルのアップデート対して行うことができると解されるから、「前記合成されたアーカイブファイルを利用して前記クライアント利用者端末上の前記メモリに１つまたは複数のファイルをインストールするステップ」をよみとることができる。
（Ｆ）Ｃ．の「利用者端末」と、その内部装置として、命令を実行することが通常可能である「ＣＰＵ」「メモリ」、ＰＣ、ＷＳとの記載から、命令を「実行するコンピュータ」をよみとることができる。
（Ｇ）（Ａ）での言及における「更新、変更関連情報」は、Ｅ．の「管理情報として書き込まれている情報に基づいて、公衆回線上のサーバと通信を行うことにより、アーカイブの展開方法の変更や改変の調査などを行うことができる」「サーバへの登録時におけるアーカイブファイルの内容と利用時のファイルの内容と間での改変の確認、アーカイブファイルの展開伸張の許可、利用者登録情報の確認、更新、変更部分の差分情報の有無と変更内容、実行環境情報とその環境に対する伸張、展開方法の指示、利用者へのアーカイブファイル利用に関しての最新のお知らせ、その他必要な情報等」「サーバからのプログラム自体の更新情報」に例示された如き情報のことであるから、「更新、変更関連情報」は、例えば、「サーバへの登録時におけるアーカイブファイルの内容と利用時のファイルの内容と間での改変の確認情報」「更新、変更部分の差分情報の有無と変更内容」「その他必要な情報」を含む。
　よって、「前記更新、変更関連情報を外部のサーバコンピュータから取得するステップは、サーバへの登録時におけるアーカイブファイルの内容と利用時のファイルの内容と間での改変の確認情報、更新、変更部分の差分情報の有無と変更内容、その他必要な情報を取得するステップを含む」をよみとることができる。
　
（Ａ）〜（Ｇ）によれば、アーカイブ作成時のオリジナルファイルの改良版等の変更の問題点、転送容量の増加の問題点、１つのアーカイブファイルからその伸張展開を行う利用者にあわせたアーカイブファイルの伸張展開の方法の変更の問題点（Ｂ．の記載を参照）を解決することを目的とした次の発明（以下「引用文献１発明」という。）が示されている。
　
　メモリと、
　クライアント利用者端末上の前記メモリに１つまたは複数のファイルをインストールするための必要な書き替え前のアーカイブファイル（図４（ａ））の更新、変更関連情報を外部のサーバコンピュータから取得するステップと、
  前記クライアント利用者端末上の前記メモリに記憶された書き替え前のアーカイブファイルを選択するステップと、
  前記更新、変更関連情報を用いてアーカイブファイルの更新、変更部分の差分を取得するステップと、
　前記更新、変更関連情報を用いて前記アーカイブファイルの更新、変更部分の差分（インストレーションコンポーネントデルタパッチ）と前記選択された書き替え前のアーカイブファイルとを合成するステップと、
  前記合成されたアーカイブファイルを利用して前記クライアント利用者端末上の前記メモリに１つまたは複数のファイルをインストールするステップと、
 を実行するコンピュータと、
 を含み、 前記更新、変更関連情報を外部のサーバコンピュータから取得するステップは、サーバへの登録時におけるアーカイブファイルの内容と利用時のファイルの内容と間での改変の確認情報、更新、変更部分の差分情報の有無と変更内容、その他必要な情報を取得するステップを含むことを特徴とするクライアント利用者端末装置。
　
（４．２．２）引用文献２
　原審の拒絶の理由に引用された、本願優先権主張日前に頒布された刊行物である特開平４−１９５２２４号公報（以下、「引用文献２」という。）には、次の事項が記載されている。
あ．「第１図において、版数アップデータＩは、版数アップを施す対象の版数および適用可の修正データ名からなる適用条件、および版数アップ用データを持つものである。
　修正データ２は、修正を施す対象の版数および修正用のデータからなるものである。
…（中略）…
〔作用〕
　本発明は、第１図に示すように、導入保守ツール３が入力された版数アップデータＩ内の適用条件で指定された版数のモジュールに対して、版数アップ用データによって修正を施して版数アップを行った後、」（第２頁左下欄６〜右下欄５行）
い．第１図には、「版数アップデータと修正データ」が「送付」された場合の導入（インストール）、版数アップが記載されている。また、第１図には「Ｖ１ＯＬ３０」が記載されている。
　　
（４．２．３）対比
　本件補正後の特許請求の範囲の請求項６に係る発明（以下、「本件補正発明」という。）と引用文献１発明とを対比する。
ア．引用文献１発明の「書き替え前のアーカイブファイル（図４（ａ））」は本件補正発明の「ベースラインインストレーションコンポーネント」に相当する。引用文献１発明の「更新、変更関連情報」は本件補正発明のベースラインインストレーションコンポーネント「を示すインストレーション情報」とまでは言えないまでも、「これを関連付けられる情報」とみることができ、本件補正発明の「インストレーション情報」も、上位概念では、ベースラインインストレーションコンポーネント「を関連付けられる情報」とみることができ、両者はこの点で共通する。
　よって、引用文献１発明の「メモリと、
　クライアント利用者端末上の前記メモリに１つまたは複数のファイルをインストールするための必要な書き替え前のアーカイブファイル（図４（ａ））の更新、変更関連情報を外部のサーバコンピュータから取得するステップ」と
本件補正発明の「記憶デバイスと、
　クライアントコンピューティングデバイス上の前記記憶デバイスに１つまたは複数のファイルをインストールするための必要なベースラインインストレーションコンポーネントを示すインストレーション情報を外部のサーバコンピュータから取得するステップ」とは、上位概念において「記憶デバイスと、
　クライアントコンピューティングデバイス上の前記記憶デバイスに１つまたは複数のファイルをインストールするための必要なベースラインインストレーションコンポーネントと関連付けられる情報を外部のサーバコンピュータから取得するステップ」で共通する。
イ．引用文献１発明の「書き替え前のアーカイブファイル」は、ア．で言及したように本件補正発明の「ベースラインインストレーションコンポーネント」に相当する。引用文献１発明の「前記クライアント利用者端末上の前記メモリに記憶された書き替え前のアーカイブファイルを選択するステップ」は本件補正発明の「前記クライアントコンピューティングデバイス上の前記記憶デバイスに記憶されたベースラインインストレーションコンポーネントを選択するステップ」に相当する。
ウ．引用文献１発明の「前記更新、変更関連情報を用いてアーカイブファイルの更新、変更部分の差分を取得するステップ」は「前記更新、変更関連情報から」とまでは言えないまでも「アーカイブファイルの更新、変更部分の差分を取得する」ことをしており、本件補正発明の「前記インストレーション情報からインストレーションコンポーネントデルタパッチを取得するステップ」とは「インストレーションコンポーネントデルタパッチを取得するステップ」である点で共通する。
エ．引用文献１発明の「前記更新、変更関連情報を用いて」「書き替え前のアーカイブファイル」については、それぞれ、前記ア．とイ．で言及したことと同様のことが言える。引用文献１発明の「前記更新、変更関連情報を用いて前記アーカイブファイルの更新、変更部分の差分と前記選択された書き替え前のアーカイブファイルとを合成するステップ」と本件補正発明の「前記インストレーション情報からの前記インストレーションコンポーネントデルタパッチと前記選択されたベースラインインストレーションコンポーネントとをマージするステップ」とは「前記インストレーションコンポーネントデルタパッチと前記選択されたベースラインインストレーションコンポーネントとをマージするステップ」で共通する。
オ．引用文献１発明の「前記合成されたアーカイブファイルを利用して前記クライアント利用者端末上の前記メモリに１つまたは複数のファイルをインストールするステップ」は本件補正発明の「前記マージされたインストレーションコンポーネントを利用して前記クライアントコンピューティングデバイス上の前記記憶デバイスに１つまたは複数のファイルをインストールするステップ」に相当する。
カ．引用文献１発明と本件補正発明とは「実行するコンピュータと、
 を含み、」で一致する。
キ．引用文献１発明の「更新、変更関連情報を外部のサーバコンピュータから取得するステップ」は、ア．で言及したと同様の構成であり、ア．で言及したことと同様のことが言えるとともに、Ｅ．の「必要な情報等のやりとり」との記載からみて当該取得するステップは「必要な情報を取得するステップを含む」とみることができ、一方、本件補正発明の「前記インストレーションコンポーネントデルタパッチと、前記必要なベースラインインストレーションコンポーネントを示す情報とを含むパッケージを取得するステップを含む」ことも上位概念では「必要な情報を取得するステップを含む」ものであるとみることができ、この点では共通する。
　よって、両者は上位概念において「前記クライアントコンピューティングデバイス上の前記記憶デバイスに１つまたは複数のファイルをインストールするための必要なベースラインインストレーションコンポーネントを関係付けられる情報を取得するステップは、必要な情報を取得するステップを含む」で共通する。
　以上の対比によれば、引用文献１発明と本件補正発明とは、次の事項を有する発明である点で一致し、そして、次の点で相違する。
〈一致点〉　
　　記憶デバイスと、
　クライアントコンピューティングデバイス上の前記記憶デバイスに１つまたは複数のファイルをインストールするための必要なベースラインインストレーションコンポーネントと関係付けられる情報を外部のサーバコンピュータから取得するステップと、
　前記クライアントコンピューティングデバイス上の前記記憶デバイスに記憶されたベースラインインストレーションコンポーネントを選択するステップと、
　インストレーションコンポーネントデルタパッチを取得するステップと、
　前記インストレーションコンポーネントデルタパッチと前記選択されたベースラインインストレーションコンポーネントとをマージするステップと、
　前記マージされたインストレーションコンポーネントを利用して前記クライアントコンピューティングデバイス上の前記記憶デバイスに１つまたは複数のファイルをインストールするステップと
　実行するコンピュータと
　を含み、前記クライアントコンピューティングデバイス上の前記記憶デバイスに１つまたは複数のファイルをインストールするための必要なベースラインインストレーションコンポーネントを関係付けられる情報を取得するステップは、必要な情報を取得するステップを含むことを特徴とするクライアントコンピューティングデバイス。
　
〈相違点１〉
　ベースラインインストレーションコンポーネントと関係付けられる情報を外部のサーバコンピュータから取得することに関し、本件補正発明は、ベースラインインストレーションコンポーネント「を示すインストレーション情報」を取得するのに対し、引用文献１発明は、ベースラインインストレーションコンポーネントを示すインストレーション情報を取得するのか不明である点。
〈相違点２〉
　インストレーションコンポーネントデルタパッチを取得するのが、本件補正発明は「インストレーション情報から」であるのに対し、引用文献１発明はそのような取得であるか不明である点。
〈相違点３〉
　マージするステップに関わるインストレーションコンポーネントデルタパッチが、本件補正発明は「インストレーション情報から」のインストレーションコンポーネントデルタパッチであるのに対し、引用文献１発明はそのようなインストレーション情報からであるか不明である点。
〈相違点４〉
　「パッケージを取得するステップ」に関連して〈相違点１〉で言及したことと同様の相違点があるとともに、含まれる必要な情報を取得するステップが、本件補正発明は「前記インストレーションコンポーネントデルタパッチと、前記必要なベースラインインストレーションコンポーネントを示す情報とを含むパッケージ」を取得するステップであるのに対し、引用文献１発明は、そのような取得するステップであるか不明である点。
　
（４．２．４）当審の判断
〈相違点１〉について
　導入（インストール）のために、ベースラインインストレーションコンポーネント「を示すインストレーション情報」を取得する技術は、本願優先権主張日前に周知の技術にすぎない。
　例えば、引用文献２には、「版数アップデータＩ内の適用条件で指定された版数」「送付」が記載されており、当該「指定」された「版数（データ）」は版数アップデータＩ、版数「を示す」「インストレーション情報」に相当し、図１の「送付」から「取得」されることがよみとれる。
　ベースラインインストレーションコンポーネントと関係付けられる情報を外部のサーバコンピュータから取得することに関し、ベースラインインストレーションコンポーネント「を示すインストレーション情報」を取得すると成すことは、前記周知の技術を参酌することにより当業者が容易になし得ることである。
〈相違点２〉について
　インストレーションコンポーネントデルタパッチを「インストレーション情報から」取得する技術は本願優先権主張日前に周知の技術の範囲内のものにすぎない。
　例えば、引用文献２の記載と第１図から、「版数アップデータＩ内」の「版数アップ用データ」に「指定する版数（データ）」を付けているとみることができ、「インストレーションコンポーネントデルタパッチ」に相当する前記「版数アップ用データ」と、「インストレーション情報」に相当する前記「指定する版数（データ）」「版数アップデータＩ」を含めて「インストレーション情報」とみることができる。
　インストレーションコンポーネントデルタパッチを「インストレーション情報から」取得すると成すことは、前記周知の技術を参酌することにより当業者が容易になし得ることである。
〈相違点３〉について
　前記〈相違点２〉について、において言及したことと同様のことが言える。　マージするステップに関わるインストレーションコンポーネントデルタパッチを、「インストレーション情報から」のインストレーションコンポーネントデルタパッチと成すことは、前記周知の技術を参酌することにより当業者が容易になし得ることである。
〈相違点４〉について
　ベースラインインストレーションコンポーネント「を示すインストレーション情報を取得するステップ」については、前記〈相違点１〉について、において言及したことと同様のことが言える。
　また、必要な情報を取得するのが、「インストレーションコンポーネントデルタパッチと、必要なベースラインインストレーションコンポーネントを示す情報とを含むパッケージ」を取得するものであることは、本願優先権主張日前に周知の技術の範囲内の技術にすぎない。
　例えば、引用文献２の、「版数アップ用データ」は「版数のモジュールに対して、版数アップ用データによって修正を施して版数アップ」するとの記載から「インストレーションコンポーネントデルタパッチ」をよみとることができるとともに、「版数アップデータＩ内の適用条件で指定された版数」「版数アップを施す対象の版数」、第１図中の「Ｖ１ＯＬ３０」、「導入」との記載から「指定する版数（データ）」を含む「インストレーション情報」をよみとることができることから、「版数アップデータＩ」「指定する版数（データ）」「版数アップ用データ」が収容（梱包）されて「配送」（取得）される「パッケージ」の技術がよみとれる。よって、引用文献２には「インストレーションコンポーネントデルタパッチと、必要なベースラインインストレーションコンポーネントを示す情報とを含むパッケージ」を取得するステップが示されている。
　含まれる必要な情報を取得するステップが、「インストレーションコンポーネントデルタパッチと、必要なベースラインインストレーションコンポーネントを示す情報とを含むパッケージ」を取得するステップであると成すことは前記周知の技術を参酌することにより当業者が容易になし得ることである。
　
　そして、本件補正発明の構成により奏する効果も、引用文献１に記載された発明、引用文献２に記載された発明から当然予測される範囲内のもので、格別顕著なものとは認められない。
　
（４．２．５）小括
　以上のように、本件補正後における特許請求の範囲の請求項６に記載されている事項により特定される発明は、引用文献１に記載された発明、引用文献２に記載された発明に基いて当業者が容易に発明をすることができたものであり、特許法第２９条第２項の規定により特許を受けることができないものであるから、特許出願の際独立して特許を受けることができないものである。
　また、本件補正後における特許請求の範囲の請求項１２の「方法」の発明及び、請求項１５の「クライアントコンピューティングデバイス」の発明は、前記補正後請求項６の「クライアントコンピューティングデバイス」の発明と同様の発明特定事項を有する発明であり、これらの発明については、前記請求項６について言及したことと同様のことが言えて、特許法第２９条第２項の規定により特許を受けることができないものであるから、特許出願の際独立して特許を受けることができないものである。
　　
４．３　むすび
　したがって、本件補正は、（２）新規事項追加に示したとおり、特許法第１７条の２第３項の規定に違反するので、同法第１５９条第１項において読み替えて準用する同法第５３条第１項の規定により却下すべきものである。
　また、（３）本件補正における補正の目的で示したとおり、本件補正は限定的減縮を目的としたものであるが、（４）独立特許要件で示したとおり、本件補正後の特許請求の範囲の請求項１ないし５、６、１２、１５に記載された事項により特定される発明は、特許法第３６条第６項第２号の規定、又は、特許法第２９条第２項の規定に違反し、特許出願の際独立して特許を受けることができないものであるから、本件補正は、平成１８年法律第５５号改正附則第３条第１項の規定によりなお従前の例によるとされる同法による改正前の特許法第１７条の２第５項の規定に違反するので、同法第１５９条第１項において読み替えて準用する同法第５３条第１項の規定により却下すべきものである。
　
　よって、上記補正却下の決定の結論のとおり決定する。
　
３．本願発明について
（１）平成２３年５月１６日付の手続補正は前記のとおり却下された。本願の請求項６に係る発明は、平成２２年１１月１日付の手続補正書により補正された特許請求の範囲の請求項６に記載されたとおりの次の事項により特定されるものである。（再掲する。）　
【請求項６】
　記憶デバイスと、
　クライアントコンピューティングデバイス上の前記記憶デバイスに１つまたは複数のファイルをインストールするための必要なベースラインインストレーションコンポーネントを示すインストレーション情報を外部のサーバコンピュータから取得するステップと、
　前記クライアントコンピューティングデバイス上の前記記憶デバイスに記憶されたベースラインインストレーションコンポーネントを選択するステップと、
　前記インストレーション情報からインストレーションコンポーネントデルタパッチを取得するステップと、
　前記インストレーション情報からの前記インストレーションコンポーネントデルタパッチと前記選択されたベースラインインストレーションコンポーネントとをマージするステップと、
　前記マージされたインストレーションコンポーネントを利用して前記クライアントコンピューティングデバイス上の前記記憶デバイスに１つまたは複数のファイルをインストールするステップと
　実行するコンピュータとを有し、
　を含み、前記クライアントコンピューティングデバイス上の前記記憶デバイスに１つまたは複数のファイルをインストールするための必要なベースラインインストレーションコンポーネントを示すインストレーション情報を取得するステップは、前記インストレーションコンポーネントデルタパッチと、前記必要なベースラインインストレーションコンポーネントを示す情報とを含むパッケージを取得するステップを含むことを特徴とするクライアントコンピューティングデバイス。
　
（２）引用刊行物
　原審の拒絶の理由に引用された、本願出願前に頒布された刊行物である、前記引用文献１、２には、それぞれ、前記（４．１）で摘記した事項が記載されている。
　
（３）対比・判断
　本願請求項６に係る発明は、前記（４．２）で検討した本件補正発明における発明特定事項と、誤記（「コンピュータとを有し、を含み、」は「コンピュータを含み、」の誤記である。）を含む点以外に記載に差異はなく、実質的には本件補正発明と同じ発明特定事項を有する発明である。
　そうすると、本願請求項６に係る発明の構成要件をすべて含む本件補正発明が、前記（４．２．３）乃至（４．２．４）に記載したとおり、引用文献１に記載された発明、引用文献２に記載された事項に基いて、当業者が容易に発明をすることができたものであるから、本願請求項６に係る発明も、同様の理由により、引用文献１に記載された発明、引用文献２に記載された事項に基いて当業者が容易に発明をすることができたものである。
　また、請求項１はカテゴリが「方法」の発明であるが、請求項６の「クライアントコンピューティングデバイス」と実質的に同様の特定事項を有しており、前記請求項６に係る発明について言及したことと同様のことが言えて、
引用文献１に記載された発明、引用文献２に記載された事項に基いて当業者が容易に発明をすることができたものである。
　また、請求項１２、請求項１５に係る発明は、本願請求項６に係る発明と実質的に同様の特定事項を有しており、前記請求項６に係る発明について言及したことと同様のことが言えて、引用文献１に記載された発明、引用文献２に記載された事項に基いて当業者が容易に発明をすることができたものである。
（４）むすび
　以上のとおり、請求項１、請求項６、請求項１２、請求項１５に係る発明は、特許法第２９条第２項の規定により特許を受けることができない。
　したがって、本願は、特許法第２９条第２項の規定により特許を受けることができないものである。
　よって、結論のとおり審決する。